(57)【要約】高周波フィルタ（１０）は、共振子（２１，３１，３２）、インダクタ（４１）、および、スイッチ（５１）を備える。共振子（２１）は、第１入出力端子（Ｐ１）と第２入出力端子（Ｐ２）との間に接続されている。インダクタ（４１）の一方端は、共振子（２１）と第１入出力端子（Ｐ１）との間に接続されている。共振子（３１）は、一方端が、インダクタ（４１）の他方端に接続されている。スイッチ（５１）は、インダクタ（４１）と共振子（３１）との接続部と、共振子（３２）と、の何れかを選択して、選択された接続部または共振子（３１）と、共振子（２１）における第２入出力端子（Ｐ２）側の端子と、を接続する。スイッチ（５１）の接続態様を切り換えることによって、高周波フィルタ（１０）は、回路構成が変化する。
2016158953.tif 000002
【特許請求の範囲】
【請求項１】
第１入出力端子と第２入出力端子との間に接続された第１共振子と、
前記第１共振子と前記第１入出力端子との間に一方端が接続された第１リアクタンス素子と、
一方端が、前記第１リアクタンス素子の他方端に接続された第２共振子と、
第３共振子と、
前記第１リアクタンス素子と前記第２共振子との接続部と、前記第３共振子と、の何れかを選択して、前記選択された接続部または前記第３共振子と、前記第１共振子における前記第２入出力端子側の端子と、を接続するスイッチと、
を備える、高周波フィルタ。
【請求項２】
前記第２共振子および前記第３共振子は、グランドに接続されている、
請求項１に記載の高周波フィルタ。
【請求項３】
前記スイッチは、
選択されていない側をグランドに接続する、
請求項１または請求項２に記載の高周波フィルタ。
【請求項４】
前記第３共振子に並列接続する第２リアクタンス素子を備える、
請求項１乃至請求項３のいずれかに記載の高周波フィルタ。
【請求項５】
前記第１共振子と前記スイッチとの接続部と、前記第２入出力端子との間に接続された第４共振子と、
前記第１リアクタンス素子と前記第２共振子との接続部と、前記第２入出力端子との間に接続された第３リアクタンス素子と、
を備える、
請求項１乃至請求項４のいずれかに記載の高周波フィルタ。
【請求項６】
前記第１リアクタンス素子は、インダクタである、
請求項１乃至請求項５のいずれかに記載の高周波フィルタ。
【請求項７】
前記第１リアクタンス素子は、キャパシタである、
請求項１乃至請求項５のいずれかに記載の高周波フィルタ。
【請求項８】
前記第１リアクタンス素子、前記第２リアクタンス素子、および前記第３リアクタンス素子は、インダクタである、
請求項５のいずれかに記載の高周波フィルタ。
【請求項９】
前記第１リアクタンス素子および前記第３リアクタンス素子は、キャパシタである、
請求項５のいずれかに記載の高周波フィルタ。
【請求項１０】
第１通信バンドと、前記第１通信バンドよりも高い中心周波数をもち、通信帯域が前記第１通信バンドと部分的に重なる第２通信バンドと、に対応し、第１端子と第２端子とを備えた高周波フィルタであって、
前記第１端子と前記第２端子との間に配置され、少なくとも１以上の直列腕共振子と少なくとも１以上の並列腕共振子とを含む、ラダー型共振回路と、
前記ラダー型共振回路と前記第２端子との間の接続ノードに接続された、第１減衰回路と、
を備え、
前記第１減衰回路は、共振子と、スイッチとを備え、
前記共振子は、一方端が前記スイッチの第１被選択端子と接続され、他方端がグランド電位に接続されており、
前記スイッチは、前記共振子と接続される前記第１被選択端子と、グランドに接続されている第２被選択端子と、前記第１被選択端子または前記第２被選択端子と選択的に接続され、かつ、前記接続ノードに接続された共通端子と、を含み、
前記高周波フィルタは、
前記スイッチにおける前記共通端子と前記第１被選択端子とを接続した、第２通信バンドに対応させた状態と、
前記スイッチにおける前記共通端子と前記第２被選択端子とを接続した、第１通信バンドに対応させた状態と、
を切り替える、高周波フィルタ。
【請求項１１】
複数の共振子を縦結合させた縦結合型共振回路をさらに備え、
該縦結合型共振回路は、前記ラダー型共振回路に直列接続されている、
請求項１０に記載の高周波フィルタ。
【請求項１２】
送信信号をフィルタ処理する送信フィルタ、および、受信信号をフィルタ処理する受信フィルタを有する分波回路と、
前記送信フィルタに接続される送信側増幅回路と、
前記受信フィルタに接続される受信側増幅回路と、を備え、
前記送信フィルタおよび前記受信フィルタの少なくとも一方は、請求項１乃至請求項１１のいずれかに記載の高周波フィルタである、
フロントエンド回路。
【請求項１３】
請求項１２に記載のフロントエンド回路と、
前記送信側増幅回路および前記受信側増幅回路に接続され、前記スイッチの制御信号を発生するＲＦＩＣと、
を備えた、通信機器。
【発明の詳細な説明】
【技術分野】
【０００１】
本発明は、共振子の共振周波数と反共振周波数を利用した高周波フィルタ、フロントエンド回路、および、通信機器に関する。
【背景技術】
【０００２】
従来、各種の高周波フィルタが考案されている。これらの高周波フィルタには、例えば、特許文献１に示すように、周波数可変フィルタがある。周波数可変フィルタとすることによって、１つの高周波フィルタで異なる通過帯域に対応した複数のフィルタ特性（通過特性および減衰特性）に適用することができる。【０００３】
特許文献１に記載の周波数可変フィルタは、複数の圧電共振子とスイッチとを備える。特許文献１に記載の周波数可変フィルタは、スイッチの接続態様を切り換えることによって、圧電共振子の組合せを異ならせている。これにより、それぞれに異なる複数の通過特性（減衰特性）は実現されている。
【先行技術文献】
【特許文献】
【０００４】
【特許文献１】特開２００９−２０７１１６号公報
【発明の概要】
【発明が解決しようとする課題】
【０００５】
しかしながら例えば、特許文献１の図１１Ａ、図１１Ｂに記載の周波数可変フィルタでは、１つのスイッチで減衰極を１つしか形成できないため、例えば、Ｂａｎｄ２８のように、急峻性が求められるＢａｎｄには対応することが困難となってしまう。加えて、２つのスイッチを用いて減衰極を２つすると、大型化してしまう、という課題がある。【０００６】
したがって、本発明の目的は、１つのスイッチで減衰極を２つ形成することで、小型化しつつ、アイソレーション特性がよい高周波フィルタを提供することにある。
【課題を解決するための手段】
【０００７】
この発明の高周波フィルタは、第１、第２、第３共振子、第１リアクタンス素子、および、スイッチを備える。第１共振子は、第１入出力端子と第２入出力端子との間に接続されている。第１リアクタンス素子は、第１共振子と第１入出力端子との間に一方端が接続されている。第２共振子は、一方端が、第１リアクタンス素子の他方端に接続されている。スイッチは、第１リアクタンス素子と第２共振子との接続部と、第３共振子と、の何れかを選択して、選択された接続部または第３共振子と、第１共振子における第２入出力端子側の端子とを接続する。【０００８】
この構成では、複数の共振子とリアクタンス素子とを用いた複数種類の回路が実現可能となる。この際、リアクタンス素子を、共振子の特性を変化させる素子として用いる態様と、共振子に対する整合回路として用いる態様を選択可能であり、より多様なフィルタ特性が実現可能になる。【０００９】
また、この発明の高周波フィルタでは、第２共振子および第３共振子は、グランドに接続されていることが好ましい。【００１０】
この構成では、第２共振子と第３共振子は、第１入出力端子と第２入出力端子を接続する伝送ラインとグランドとの間に接続される、所謂シャント接続された共振子となる。これにより、シャント接続の共振子を用いない回路と比較して、より多様なフィルタ特性が実現可能になる。【００１１】
また、この発明の高周波フィルタでは、スイッチは、選択されていない側をグランドに接続してもよい。【００１２】
この構成では、選択されない側の共振子がフィルタ特性に与える影響を抑制できる。【００１３】
また、この発明の高周波フィルタでは、第３共振子に並列接続する第２リアクタンス素子を備えていてもよい。【００１４】
この構成では、より多様なフィルタ特性が実現可能になる。【００１５】
また、この発明の高周波フィルタでは、さらに、第４共振子および第３リアクタンス素子を備えていてもよい。第４共振子は、第１共振子とスイッチとの接続部と、第２入出力端子との間に接続されている。第３リアクタンス素子は、第１リアクタンス素子と第２共振子との接続部と、第２入出力端子との間に接続されている。【００１６】
この構成では、より多様なフィルタ特性が実現可能になる。【００１７】
また，この発明の高周波フィルタでは、第１リアクタンス素子は、インダクタであってもよく、キャパシタであってもよい。【００１８】
この構成では、それぞれに、多様なフィルタ特性が実現可能である。例えば、インダクタの場合、インダクタを共振子の反共振点のシフトに利用する態様、インダクタを単に整合回路として用いる回路等に選択可能であり、より多様なフィルタ特性が実現可能になる。また、キャパシタの場合、キャパシタを共振子の反共振点のシフトに利用する態様、キャパシタを単に整合回路として用いる態様等に選択可能であり、より多様なフィルタ特性が実現可能になる。【００１９】
また、この発明の高周波フィルタでは、第１リアクタンス素子、第２リアクタンス素子、および第３リアクタンス素子は、インダクタであってもよい。または、第１リアクタンス素子および第３リアクタンス素子は、キャパシタであってもよい。【００２０】
この構成では、より多様なフィルタ特性が実現可能になる。【００２１】
また、この発明の高周波フィルタは、第１通信バンドと、第１通信バンドよりも高い中心周波数をもち、通信帯域が第１通信バンドと部分的に重なる第２通信バンドと、に対応し、第１端子と第２端子とを備えている。高周波フィルタは、ラダー型共振回路および減衰回路を備える。ラダー型共振回路は、第１端子と第２端子との間に配置され、少なくとも１以上の直列腕共振子と少なくとも１以上の並列腕共振子とを含んでいる。減衰回路は、ラダー型共振回路と第２端子との間の接続ノードに接続されている。減衰回路は、共振子と、スイッチとを備える。共振子は、一方端がスイッチの第１被選択端子と接続され、他方端がグランド電位に接続されており、スイッチは、共振子と接続される第１被選択端子と、グランド電位に接続されている第２被選択端子と、第１被選択端子または第２被選択端子と選択的に接続され、かつ、接続ノードに接続された共通端子と、を含んでいる。高周波フィルタは、スイッチにおける共通端子と第１被選択端子とを接続した、第２通信バンドに対応させた状態と、スイッチにおける共通端子と第２被選択端子とを接続した、第１通信バンドに対応させた状態とを切り替える。【００２２】
この構成では、通信帯域が重なる複数の通信バンドのそれぞれに対応するフィルタ特性を、１つのスイッチを用いた構成で実現できる。【００２３】
また、この発明の高周波フィルタは、複数の共振子を縦結合させた縦結合型共振回路をさらに備え、縦結合型共振回路は、ラダー型共振回路に直列接続されていてもよい。【００２４】
この構成でも、通信帯域が重なる複数の通信バンドのそれぞれに対応するフィルタ特性を、１つのスイッチを用いた構成で実現できる。【００２５】
また、この発明のフロントエンド回路は、分波回路、送信側増幅回路、および、受信側増幅回路を備える。分波回路は、送信信号をフィルタ処理する送信フィルタ、および、受信信号をフィルタ処理する受信フィルタを有する。送信側増幅回路は、送信フィルタに接続されており、受信側増幅回路は、受信フィルタに接続されている。送信フィルタおよび受信フィルタの少なくとも一方は、上述のいずれかの高周波フィルタである。【００２６】
この構成では、指定の通信バンドでの低損失な通信を可能にし、スプリアスエミッションの規制を満足させることが可能になる。【００２７】
また、この発明の通信機器は、上述のフロントエンド回路と、送信側増幅回路および受信側増幅回路に接続され、スイッチの制御信号を発生するＲＦＩＣと、を備える。【００２８】
この構成では、選択可能な複数の通信バンドでの低損失な通信を可能にし、スプリアスエミッションの規制を満足させることが可能になる。
【発明の効果】
【００２９】
この発明によれば、１つのスイッチで減衰極を２つ形成することができるので、アイソレーション特性がよい高周波フィルタを小型に実現することができる。
【図面の簡単な説明】
【００３０】
【図１】本発明の第１の実施形態に係る高周波フィルタの回路図である。
【図２】本発明の第１の実施形態に係る高周波フィルタにおけるスイッチの等価回路図である。
【図３】（Ａ）は、本発明の第１の実施形態に係る高周波フィルタにおける第１接続態様での等価回路図であり、（Ｂ）は、本発明の第１の実施形態に係る高周波フィルタにおける第２接続態様での等価回路図である。
【図４】（Ａ）は、本発明の第１の実施形態に係る高周波フィルタにおけるフィルタ特性を示すグラフであり、（Ｂ）は、本発明の第１の実施形態に係る高周波フィルタにおける共振子のインピーダンス特性に基づく減衰特性を示すグラフである。
【図５】本発明の第２の実施形態に係る高周波フィルタにおける第２接続態様での等価回路図である。
【図６】本発明の第３の実施形態に係る高周波フィルタの回路図である。
【図７】（Ａ）は、本発明の第３の実施形態に係る高周波フィルタにおける第１接続態様での等価回路図であり、（Ｂ）は、本発明の第３の実施形態に係る高周波フィルタにおける第２接続態様での等価回路図である。
【図８】（Ａ）は、本発明の第３の実施形態に係る高周波フィルタにおけるフィルタ特性を示すグラフであり、（Ｂ）は、本発明の第３の実施形態に係る高周波フィルタにおける共振子のインピーダンス特性に基づく減衰特性を示すグラフである。
【図９】本発明の第４の実施形態に係る高周波フィルタの回路図である。
【図１０】（Ａ）は、本発明の第４の実施形態に係る高周波フィルタにおける第１接続態様での等価回路図であり、（Ｂ）は、本発明の第４の実施形態に係る高周波フィルタにおける第２接続態様での等価回路図である。
【図１１】（Ａ）は、本発明の第４の実施形態に係る高周波フィルタにおけるフィルタ特性を示すグラフであり、（Ｂ）は、本発明の第４の実施形態に係る高周波フィルタにおける共振子のインピーダンス特性に基づく減衰特性を示すグラフである。
【図１２】本発明の第５の実施形態に係る高周波フィルタの回路図である。
【図１３】（Ａ）は、本発明の第５の実施形態に係る高周波フィルタにおける第１接続態様での等価回路図であり、（Ｂ）は、本発明の第５の実施形態に係る高周波フィルタにおける第２接続態様での等価回路図である。
【図１４】本発明の第５の実施形態に係る高周波フィルタにおけるフィルタ特性を示すグラフである。
【図１５】本発明の第６の実施形態に係る高周波フィルタの回路図である。
【図１６】本発明の第７の実施形態に係る分波回路の回路図である。
【図１７】本発明の第７の実施形態に係る分波回路の送信フィルタのフィルタ特性を示すグラフである。
【図１８】本発明の第８の実施形態に係る分波回路の回路図である。
【図１９】本発明の第９の実施形態に係る通信機器の機能ブロック図である。
【発明を実施するための形態】
【００３１】
本発明の第１の実施形態に係る高周波フィルタについて、図を参照して説明する。図１は、本発明の第１の実施形態に係る高周波フィルタの回路図である。図２は、本発明の第１の実施形態に係る高周波フィルタにおけるスイッチの等価回路図である。図３（Ａ）は、本発明の第１の実施形態に係る高周波フィルタにおける第１接続態様での等価回路図である。図３（Ｂ）は、本発明の第１の実施形態に係る高周波フィルタにおける第２接続態様での等価回路図である。図４（Ａ）は、本発明の第１の実施形態に係る高周波フィルタにおけるフィルタ特性を示すグラフである。図４（Ｂ）は、本発明の第１の実施形態に係る高周波フィルタにおける共振子のインピーダンス特性に基づく減衰特性を示すグラフである。
【００３２】
図１に示すように、高周波フィルタ１０は、共振子２１（本発明の「第１共振子」），３１（本発明の「第２共振子」），３２（本発明の「第３共振子」）、インダクタ４１（本発明の「第１リアクタンス素子」）、および、スイッチ５１を備える。共振子２１，３１，３２は、共振点（共振周波数）と反共振点（反共振周波数）を有する共振子であり、例えば、圧電共振子である。共振子２１，３１，３２の共振点および反共振点は、高周波フィルタ１０として所望とするフィルタ特性に応じて適宜設定されている。
【００３３】
スイッチ５１は、端子ＰＳＷ０，ＰＳＷ１，ＰＳＷ２を備えるＳＰＤＴスイッチである。端子ＰＳＷ０は、端子ＰＳＷ１または端子ＰＳＷ２に対して選択的に接続される。より具体的には、図２に示すように、スイッチ５１は、４つのＳＰＳＴスイッチからなる。ＳＰＳＴスイッチＦ１，Ｆ２の一方端は、端子ＰＳＷ０に接続されている。ＳＰＳＴスイッチＦ１の他方端は、端子ＰＳＷ１に接続されるとともに、ＳＰＳＴスイッチＦ３の一方端に接続されている。ＳＰＳＴスイッチＦ３の他方端は、グランドに接続されている。ＳＰＳＴスイッチＦ２の他方端は、端子ＰＳＷ２に接続されるとともに、ＳＰＳＴスイッチＦ４の一方端に接続されている。ＳＰＳＴスイッチＦ４の他方端は、グランドに接続されている。図２（Ａ）に示すように、ＳＰＳＴスイッチＦ１，Ｆ４が導通ならばＳＰＳＴスイッチＦ２，Ｆ３は開放となる。図２（Ｂ）に示すように、ＳＰＳＴスイッチＦ１，Ｆ４が開放ならばＳＰＳＴスイッチＦ２，Ｆ３は導通となる。このような構成により、スイッチ５１では、端子ＰＳＷ０と端子ＰＳＷ１が導通であれば、端子ＰＳＷ２は、端子ＰＳＷ０に対して非接続になりグランドに接続される。また、端子ＰＳＷ０と端子ＰＳＷ２が導通であれば、端子ＰＳＷ１は、端子ＰＳＷ０に対して非接続になりグランドに接続される。
【００３４】
共振子２１は、第１入出力端子Ｐ１と第２入出力端子Ｐ２との間に接続されている。インダクタ４１の一方端は、第１入出力端子Ｐ１に接続されている。言い換えれば、インダクタ４１の一方端は、共振子２１の第１入出力端子Ｐ１側の端子に接続されている。
【００３５】
スイッチ５１の端子ＰＳＷ０は、第２入出力端子Ｐ２に接続されている。言い換えれば、スイッチ５１の端子ＰＳＷ０は、共振子２１の第２入出力端子Ｐ２側の端子に接続されている。
【００３６】
スイッチ５１の端子ＰＳＷ１は、インダクタ４１の他方端に接続されている。また、スイッチ５１の端子ＰＳＷ１は、共振子３１の一方端に接続されている。共振子３１の他方端は、グランドに接続されている。スイッチ５１の端子ＰＳＷ２は、共振子３２の一方端に接続されている。共振子３２の他方端は、グランドに接続されている。
【００３７】
このような構成においてスイッチ５１の接続態様を切り換えることで、高周波フィルタ１０は、図３（Ａ）、（Ｂ）に示す２種類の回路のいずれかとして機能する。
【００３８】
［接続態様１］
接続態様１で実現される高周波フィルタ１０（１）では、端子ＰＳＷ０は端子ＰＳＷ１に接続されている。この接続態様１では、図３（Ａ）の回路構成となる。具体的には、第１入出力端子Ｐ１と第２入出力端子Ｐ２との間には、共振子２１とインダクタ４１との並列回路が接続されている。この並列回路の第２入出力端子Ｐ２側は、共振子３１を介してグランドに接続されている。この構成では、インダクタ４１は、共振子２１に対する所謂伸長のＬ（インダクタ）として作用する。
【００３９】
この回路構成では、図４（Ａ）の破線に示すフィルタ特性ＡＴ（１０１）となる。具体的には、フィルタ特性ＡＴ（１０１）は、通過帯域ＢＷ（１０１）を有し、当該通過帯域ＢＷ（１０１）の高周波数側と低周波数側に減衰域を有する。通過帯域ＢＷ（１０１）は、共振子２１とインダクタ４１との並列回路の共振点付近の周波数および高周波数側の周波数帯域、共振子３１の反共振点よりも高周波数側の周波数帯域によって形成されている。
【００４０】
より具体的には、通過帯域ＢＷ（１０１）の低周波数側の端部（下限周波数）は、共振子２１とインダクタ４１との並列回路の共振点よりも低周波数側に存在する共振子３１の反共振点によって決定されている。通過帯域ＢＷ（１０１）の下限周波数よりも高周波数側は、共振子２１とインダクタ４１との並列回路の特性と、共振子３１の特性によって決定されている。
【００４１】
また、フィルタ特性ＡＴ（１０１）では、通過帯域ＢＷ（１０１）の低周波数側に減衰極を２つ有する。この減衰極は、共振子３１の共振点の周波数ｆ３、および、共振子２１とインダクタ４１との並列回路の反共振点の周波数ｆ４によってそれぞれ決定されている。
【００４２】
共振子３１のインピーダンス特性は、図４（Ｂ）に示すように、共振点と反共振点が近く、共振子３１の共振点の周波数ｆ３は、通過帯域ＢＷ（１０１）の下限周波数に近接している。これにより、通過帯域ＢＷ（１０１）の低周波数側は、急峻な減衰特性を実現でき、且つ、周波数ｆ３で減衰極を得ることができる。
【００４３】
また、上述のように、インダクタ４１は、共振子２１の伸長のインダクタとして機能しており、共振子２１とインダクタ４１との並列回路の反共振点（副反共振点）の周波数ｆ４は、共振子３１の共振点に近接する。これにより、共振子２１とインダクタ４１との並列回路の反共振点（副反共振点）の周波数ｆ４を、共振子３１の共振点の周波数ｆ３に近接させることができる。したがって、周波数ｆ３の減衰極の近傍に、周波数ｆ４の減衰極をさらに得ることができる。
【００４４】
このように、接続態様１では、通過帯域ＢＷ（１０１）の低周波数側の減衰特性が急峻であり、２つの減衰極を有するフィルタ特性ＡＴ（１０１）を実現することができる。この特性では、２つの減衰極を有することによって、通過帯域ＢＷ（１０１）の低周波数側の減衰量をより大きくすることができる。これにより、通過帯域ＢＷ（１０１）の低周波数側に近接する周波数帯域においてより確実なアイソレーションを確保することができる。
【００４５】
［接続態様２］
接続態様２で実現される高周波フィルタ１０（２）では、端子ＰＳＷ０は端子ＰＳＷ２に接続されている。端子ＰＳＷ１は、グランドに接続されている。この接続態様２では、図３（Ｂ）の回路構成となる。具体的には、第１入出力端子Ｐ１と第２入出力端子Ｐ２との間には、共振子２１が接続されている。共振子２１の第１入出力端子Ｐ１側は、インダクタ４１を介してグランドに接続されている。共振子２１の第２入出力端子Ｐ２側は、共振子３２を介してグランドに接続されている。この構成では、インダクタ４１は、共振子２１，３２からなる回路に対する第１入出力端子Ｐ１側の整合回路として作用する。すなわち、フィルタ特性を決定する主たる要素とはならない。
【００４６】
この回路構成では、図４（Ａ）の実線に示すフィルタ特性ＡＴ（１０２）となる。具体的には、フィルタ特性ＡＴ（１０２）は、通過帯域ＢＷ（１０２）を有し、当該通過帯域ＢＷ（１０２）の高周波数側と低周波数側に減衰域を有する。通過帯域ＢＷ（１０２）は、通過帯域ＢＷ（１０１）よりも低周波数側に有り、部分的に重なっている。
【００４７】
通過帯域ＢＷ（１０２）は、共振子３２の反共振点よりも高周波数側の周波数帯域と共振子２１の共振点よりも低周波数側の周波数帯域によって形成されている。
【００４８】
より具体的には、通過帯域ＢＷ（１０２）の低周波数側の端部（下限周波数）は、共振子３２の反共振点によって決定されている。通過帯域ＢＷ（１０２）の高周波数側の端部（上限周波数）は、共振子２１によって決定されている。
【００４９】
また、フィルタ特性ＡＴ（１０２）では、通過帯域ＢＷ（１０２）の低周波数側に減衰極を１つ有し、高周波数側に減衰極を１つ有する。低周波数側の減衰極は、共振子３２の共振点の周波数ｆ２によって形成される。高周波数側の減衰極は、共振子２１の反共振点の周波数ｆ１によって形成されている。
【００５０】
ここで、共振子２１，３２は、伸長のインダクタを備えておらず、反共振点と共振点とが近接している。これにより、通過帯域ＢＷ（１０２）の低周波数側は、共振子３２の特性による急峻な減衰特性を実現でき、且つ、周波数ｆ２で減衰極を得ることができる。さらに、通過帯域ＢＷ（１０２）の高周波数側は、共振子２１の特性による急峻な減衰特性を実現でき、且つ、周波数ｆ１で減衰極を得ることができる。
【００５１】
このように、接続態様２では、通過帯域ＢＷ（１０２）の低周波数側と高周波数側の減衰特性が急峻なフィルタ特性ＡＴ（１０２）を実現することができる。また、この特性では、通過帯域ＢＷ（１０２）の低周波数側と高周波数側の両方に減衰極を有することができる。これにより、通過帯域ＢＷ（１０２）の低周波数側と高周波数側に近接する周波数帯域の両方でアイソレーションを確保することができる。
【００５２】
以上のように、本実施形態の構成を用いることによって、通過帯域ＢＷの低周波数側、または／および、高周波数側に近接する周波数帯域において、より確実なアイソレーションを確保することができる。すなわち、本実施形態の構成を用いることによって、通過帯域が異なり、減衰特性が異なる２種類のフィルタ特性を実現することができる。これらのフィルタ特性は、インダクタ４１を、共振子の切り換えに利用するスイッチ５１の選択対象とすることによって、共振子の切り換えとともに、インダクタ４１の機能も選択することができる。したがって、小型の回路構成を実現することができる。
【００５３】
これにより、１つのスイッチで減衰極を２つ形成することができる。また、単に複数の共振子を組み合わせてスイッチで組合せを変更する構成と比較して、より小型の回路構成で、より多様なフィルタ特性を実現することができる。
【００５４】
また、本実施形態の高周波フィルタは、通信規格の３ＧＰＰ２の通信バンドＢａｎｄ２８の利用に有効である。通信バンドＢａｎｄ２８には、複数の通信バンドＢａｎｄ２８Ａ，Ｂａｎｄ２８Ｂが設定されている。通信バンドＢａｎｄ２８Ａの周波数帯域と通信バンドＢａｎｄ２８Ｂの周波数帯域は部分的に重なっている。
【００５５】
具体的に、通信バンドＢａｎｄ２８の送信周波数帯域は、７０３［ＭＨｚ］から７４８［ＭＨｚ］までである。通信バンドＢａｎｄ２８Ａの送信周波数帯域は、７０３［ＭＨｚ］から７３３［ＭＨｚ］までであり、通信バンドＢａｎｄ２８Ｂの送信周波数帯域は、７１８［ＭＨｚ］から７４８［ＭＨｚ］までである。
【００５６】
これは、通信バンドＢａｎｄ２８の送信周波数帯域が、ＤＴＶ（デジタルテレビジョン放送）の放送周波数帯域と重なっており、スプリアスエミッションの規制対象となっているからである。具体的には、通信バンドＢａｎｄ２８Ａは、３ＧＧＰ２における「ＮＳ１７」のスプリアスエミッションの規制対象であり、この規制が適用されるＤＴＶ信号の放送地域では、通信バンドＢａｎｄ２８Ａを使用することができない。したがって、この放送地域では、通信バンドＢａｎｄ２８Ｂが通信用に指定される。この場合、通信端末は、通信バンドＢａｎｄ２８Ｂの送信信号を低損失で通過させると同時に、通信バンドＢａｎｄ２８Ａの周波数帯域に設定された「ＮＳ１７」のスプリアスエミッションの規制を満足しなければならない。
【００５７】
一方、この放送地域以外では、通信バンドＢａｎｄ２８Ａも使用することができる。すなわち、通信バンドＢａｎｄ２８の全周波数帯域を利用することができる。しかしながら、通信バンドＢａｎｄ２８の低周波数側の近傍には別のスプリアスエミッションの規制「ＮＳ１８」が設定されている。この場合、通信端末は、通信バンドＢａｎｄ２８の送信信号を低損失で通過させると同時に、通信バンドＢａｎｄ２８の低周波数側の近傍に設定された「ＮＳ１８」のスプリアスエミッションの規制を満足しなければならない。
【００５８】
このような場合に、本実施形態の高周波フィルタ１０を用い、上述の接続態様１を選択することによって、「ＮＳ１７」のスプリアスエミッションの規格を満足しながら、通信バンドＢａｎｄ２８Ｂでの通信を可能にする。また、上述の接続態様２を選択することによって、「ＮＳ１８」のスプリアスエミッションの規格を満足しながら、通信バンドＢａｎｄ２８Ａでの通信を可能にする。
【００５９】
このように、高周波フィルタ１０を用いることによって、一つの高周波フィルタで、通信バンドＢａｎｄ２８Ａと通信バンドＢａｎｄ２８Ｂの両方のフィルタ処理を実現することができる。
【００６０】
次に、本発明の第２の実施形態に係る高周波フィルタについて、図を参照して説明する。図５は、本発明の第２の実施形態に係る高周波フィルタにおける第２接続態様での等価回路図である。
【００６１】
本実施形態に係る高周波フィルタ１０Ａは、第１の実施形態に係る高周波フィルタ１０に対して、スイッチ５１の構成が異なる。高周波フィルタ１０Ａのスイッチ５１は、選択されない側の端子、すなわち端子ＰＳＷ０に端子ＰＳＷ１が接続された時の端子ＰＳＷ２、端子ＰＳＷ０に端子ＰＳＷ２が接続された時の端子ＰＳＷ１がグランドに接続されていない。
【００６２】
接続態様１では、高周波フィルタ１０Ａは、第１の実施形態に係る高周波フィルタ１０と同じ回路構成である。この構成では、インダクタ４１は、共振子２１に対して並列接続された伸長のインダクタとして機能する。
【００６３】
接続態様２では、高周波フィルタ１０Ａは、第１入出力端子Ｐ１と第２入出力端子Ｐ２との間に、共振子２１が接続されている。共振子２１の第１入出力端子Ｐ１側は、インダクタ４１と共振子３１との直列回路を介してグランドに接続されている。共振子２１の第２入出力端子Ｐ２側は、共振子３２を介してグランドに接続されている。この構成では、インダクタ４１は、共振子３１に対して直列接続された伸長のインダクタとして機能する。
【００６４】
このように、スイッチの選択されない側の端子をグランドに接続しない態様であっても、スイッチの切り替えによって、共振子の組合せとともに、スイッチの機能も変更することができる。
【００６５】
次に、本発明の第３の実施形態に係る高周波フィルタについて、図を参照して説明する。図６は、本発明の第３の実施形態に係る高周波フィルタの回路図である。図７（Ａ）は、本発明の第３の実施形態に係る高周波フィルタにおける第１接続態様での等価回路図である。図７（Ｂ）は、本発明の第３の実施形態に係る高周波フィルタにおける第２接続態様での等価回路図である。図８（Ａ）は、本発明の第３の実施形態に係る高周波フィルタにおけるフィルタ特性を示すグラフである。図８（Ｂ）は、本発明の第３の実施形態に係る高周波フィルタにおける共振子のインピーダンス特性に基づく減衰特性を示すグラフである。
【００６６】
図６に示すように、本実施形態に係る高周波フィルタ１０Ｂは、第１の実施形態に係る高周波フィルタ１０に対して、インダクタ４２（本発明の「第２リアクタンス素子」）を追加した点で異なる。
【００６７】
インダクタ４２は、共振子３２に対して並列接続されている。
【００６８】
このような構成においてスイッチ５１の接続態様を切り換えることで、高周波フィルタ１０Ｂは、図７（Ａ）、（Ｂ）に示す２種類の回路のいずれかとして機能する。
【００６９】
［接続態様１］
図７（Ａ）に示すように、接続態様１で実現される高周波フィルタ１０Ｂ（１）は、第１の実施形態に係る高周波フィルタ１０（１）と同じ回路構成となる。したがって、図８（Ａ）に示すように、高周波フィルタ１０Ｂ（１）のフィルタ特性ＡＴ（１０１Ｂ）は、高周波フィルタ１０（１）のフィルタ特性ＡＴ（１０１）と同じになる。
【００７０】
［接続態様２］
接続態様２で実現される高周波フィルタ１０Ｂ（２）では、インダクタ４２は、共振子３２に対する所謂伸長のＬ（インダクタ）として作用する。
【００７１】
この回路構成では、図８（Ａ）の実線に示すフィルタ特性ＡＴ（１０２Ｂ）となる。具体的には、フィルタ特性ＡＴ（１０２Ｂ）は、通過帯域ＢＷ（１０２Ｂ）を有し、当該通過帯域ＢＷ（１０２Ｂ）の高周波数側に２つの減衰域を有する。通過帯域ＢＷ（１０２Ｂ）は、共振子２１の共振点よりも低周波数側の周波数帯域、共振子３２とインダクタ４２の並列回路の反共振点よりも低周波数側の周波数帯域によって形成されている。
【００７２】
より具体的には、通過帯域ＢＷ（１０２Ｂ）の高周波数側の端部（上限周波数）は、共振子２１の共振点によって決定されている。通過帯域ＢＷ（１０２Ｂ）の上限周波数よりも低周波数側は、共振子２１の特性と、共振子３２とインダクタ４１との並列回路の特性とによって決定されている。
【００７３】
また、フィルタ特性ＡＴ（１０２Ｂ）では、通過帯域ＢＷ（１０２Ｂ）の高周波数側に減衰極を２つ有する。この減衰極は、共振子２１の反共振点の周波数ｆ１Ｂ、および、共振子３２とインダクタ４２との並列回路の共振点の周波数ｆ２Ｂによってそれぞれ決定されている。
【００７４】
共振子２１のインピーダンス特性は、図８（Ｂ）に示すように、共振点と反共振点が近く、共振子２１の反共振点の周波数ｆ１Ｂは、通過帯域ＢＷ（１０２Ｂ）の上限周波数に近接している。これにより、通過帯域ＢＷ（１０２Ｂ）の高周波数側は、急峻な減衰特性を実現でき、且つ、周波数ｆ１Ｂで減衰極を得ることができる。
【００７５】
また、上述のように、インダクタ４２は、共振子３２の伸長のインダクタとして機能しており、共振子３２とインダクタ４２との並列回路の共振点の周波数ｆ２Ｂは、共振子２１の反共振点に近接し、低周波数側となっている。これにより、共振子３２とインダクタ４２との並列回路の共振点の周波数ｆ２Ｂを、共振子２１の共振点の周波数ｆ１Ｂに近接させることができる。したがって、周波数ｆ１Ｂの減衰極の近傍に、周波数ｆ２Ｂの減衰極をさらに得ることができる。
【００７６】
このように、接続態様２では、通過帯域ＢＷ（１０２Ｂ）の高周波数側の減衰特性が急峻であり、２つの減衰極を有するフィルタ特性ＡＴ（１０２Ｂ）を実現することができる。この特性では、２つの減衰極を有することによって、通過帯域ＢＷ（１０２Ｂ）の高周波数側の減衰量をより大きくすることができる。これにより、通過帯域ＢＷ（１０２Ｂ）の高周波数側に近接する周波数帯域においてより確実なアイソレーションを確保することができる。
【００７７】
このように、本実施形態の高周波フィルタ１０Ｂを用いることによって、通信帯域ＢＷ（１０１Ｂ）においては通信帯域ＢＷ（１０２Ｂ）側のアイソレーションを高く確保でき、通信帯域ＢＷ（１０２Ｂ）においては通信帯域ＢＷ（１０１Ｂ）側のアイソレーションを高く確保できる。このように、高周波フィルタ１０Ｂを用いることによって、近接する２つの通過帯域を利用する通信バンド間でのアイソレーションを、より高く確保することができる。この構成を用いれば、例えば、３ＧＳ通信規格のバンドＢｎａｄ２８Ａ，２８Ｂをともに送受信するような場合に、より有効である。
【００７８】
次に、本発明の第４の実施形態に係る高周波フィルタについて、図を参照して説明する。図９は、本発明の第４の実施形態に係る高周波フィルタの回路図である。図１０（Ａ）は、本発明の第４の実施形態に係る高周波フィルタにおける第１接続態様での等価回路図である。図１０（Ｂ）は、本発明の第４の実施形態に係る高周波フィルタにおける第２接続態様での等価回路図である。図１１（Ａ）は、本発明の第４の実施形態に係る高周波フィルタにおけるフィルタ特性を示すグラフである。図１１（Ｂ）は、本発明の第４の実施形態に係る高周波フィルタにおける共振子のインピーダンス特性に基づく減衰特性を示すグラフである。
【００７９】
本実施形態に係る高周波フィルタ１０Ｃは、第３の実施形態に係る高周波フィルタ１０Ｂに対して、共振子２２（本発明の「第４共振子」）およびインダクタ４３（本発明の「第３リアクタンス素子」）を追加した点で異なる。
【００８０】
共振子２２は、共振子２１とスイッチ５１との接続点と第２入出力端子Ｐ２との間に接続されている。インダクタ４３の一方端は、第２入出力端子Ｐ２に接続されている。言い換えれば、インダクタ４３の一方端は、共振子２２における第２入出力端子Ｐ２側に接続されている。インダクタ４３の他方端は、スイッチ５１の端子ＰＳＷ１に接続されている。言い換えれば、インダクタ４３の他方端は、インダクタ４１および共振子３１に接続されている。
【００８１】
各共振子２１，２２，３１，３２の特性およびインダクタ４１，４２，４３のインダクタンスは、下記の２種類のフィルタ特性を実現するように適宜設定されている。
【００８２】
このような構成においてスイッチ５１の接続態様を切り換えることで、高周波フィルタ１０Ｃは、図１０（Ａ）、（Ｂ）に示す２種類の回路のいずれかとして機能する。
【００８３】
［接続態様１］
図１０（Ａ）に示すように、接続態様１で実現される高周波フィルタ１０Ｃ（１）は、共振子２１とインダクタ４１とによる第１並列回路、共振子２２とインダクタ４３とによる第２並列回路を備える。第１並列回路と第２並列回路は、第１入出力端子Ｐ１と第２入出力端子Ｐ２との間に直列接続されている。第１並列回路と第２並列回路との接続点は、共振子３１を介してグランドに接続されている。この構成では、インダクタ４１は、共振子２１に対する伸長のインダクタとして機能する。インダクタ４３は、共振子２２に対する伸長のインダクタとして機能する。
【００８４】
このような構成によって、高周波フィルタ１０Ｃ（１）は、図１１（Ａ）に示すフィルタ特性ＡＴ（１０１Ｃ）を実現できる。フィルタ特性ＡＴ（１０１Ｃ）は、通過帯域ＢＷ（１０１Ｃ）を有し、通過帯域ＢＷ（１０１Ｃ）の低周波数側に３つの減衰極（周波数ｆ３，ｆ４，ｆ６）を有する。これらの通過帯域ＢＷ（１０１Ｃ）および周波数ｆ３，ｆ４，ｆ６は、上述の各実施形態と同様の原理によって、図１１（Ｂ）に示すように、共振子２１とインダクタ４１による第１並列回路、共振子２２とインダクタ４３による第２並列回路、および共振子３１の特性によって決定される。
【００８５】
［接続態様２］
図１０（Ｂ）に示すように、接続態様２で実現される高周波フィルタ１０Ｃ（２）は、共振子２１，２２と、共振子３２およびインダクタ４２による第３並列回路とを備える。共振子２１，２２は、第１入出力端子Ｐ１と第２入出力端子Ｐ２との間に直列接続されている。共振子２１と共振子２２の接続点は、第３並列回路を介してグランドに接続されている。この構成では、インダクタ４１は、高周波フィルタ１０Ｃ（２）における第１入出力端子Ｐ１側の整合回路として機能する。インダクタ４３は、高周波フィルタ１０Ｃ（２）における第２入出力端子Ｐ２側の整合回路として機能する。
【００８６】
このような構成によって、高周波フィルタ１０Ｃ（２）は、図１１（Ｂ）に示すフィルタ特性ＡＴ（１０２Ｃ）を実現できる。フィルタ特性ＡＴ（１０２Ｃ）は、通過帯域ＢＷ（１０２Ｃ）を有する。通過帯域ＢＷ（１０２Ｃ）は、通過帯域ＢＷ（１０１Ｃ）の低周波数側であり、通過帯域ＢＷ（１０１Ｃ）と部分的に重なっている。また、フィルタ特性ＡＴ（１０２Ｃ）は、通過帯域ＢＷ（１０２Ｃ）の高周波数側に３つの減衰極（周波数ｆ１Ｃ，ｆ２Ｃ，ｆ５）を有する。これらの通過帯域ＢＷ（１０２Ｃ）および周波数ｆ１Ｃ，ｆ２Ｃ，ｆ５は、上述の各実施形態と同様の原理によって、図１１（Ｂ）に示すように、共振子２１，２２、および、共振子３２とインダクタ４２による第３共振回路の特性によって決定される。
【００８７】
このように、本実施形態の高周波フィルタ１０Ｃを用いることによって、通信帯域ＢＷ（１０１Ｃ）においては通信帯域ＢＷ（１０２Ｃ）側のアイソレーションをさらに高く確保でき、通信帯域ＢＷ（１０２Ｃ）においては通信帯域ＢＷ（１０１Ｃ）側のアイソレーションをさらに高く確保できる。このように、高周波フィルタ１０Ｃを用いることによって、近接する２つの通過帯域を利用する通信バンド間でのアイソレーションを、より高く確保することができる。また、減衰極が周波数軸上に隣接して並ぶ数が増加することによって、大きな減衰を得られる周波数帯域を広くすることができる。これにより、所望とするアイソレーションをより確実に実現することができる。
【００８８】
次に、本発明の第５の実施形態に係る高周波フィルタについて、図を参照して説明する。図１２は、本発明の第５の実施形態に係る高周波フィルタの回路図である。図１３（Ａ）は、本発明の第５の実施形態に係る高周波フィルタにおける第１接続態様での等価回路図である。図１３（Ｂ）は、本発明の第５の実施形態に係る高周波フィルタにおける第２接続態様での等価回路図である。図１４は、本発明の第５の実施形態に係る高周波フィルタにおけるフィルタ特性を示すグラフである。
【００８９】
図１２に示すように、本実施形態に係る高周波フィルタ１０Ｄは、第１の実施形態に係る高周波フィルタ１０に対して、インダクタ４１がキャパシタ６１に置き換わった点で異なる。
【００９０】
キャパシタ６１の一方端は、第１入出力端子Ｐ１に接続されている。言い換えれば、キャパシタ６１の一方端は、共振子２１の第１入出力端子Ｐ１側の端子に接続されている。キャパシタ６１の他方端は、スイッチ５１の端子ＰＳＷ１に接続されている。このキャパシタ６１が本発明の「第１リアクタンス素子」に対応する。
【００９１】
［接続態様１］
接続態様１で実現される高周波フィルタ１０Ｄ（１）では、端子ＰＳＷ０は端子ＰＳＷ１に接続されている。この接続態様１では、図１３（Ａ）の回路構成となる。具体的には、第１入出力端子Ｐ１と第２入出力端子Ｐ２との間には、共振子２１とキャパシタ６１との並列回路が接続されている。この並列回路の第２入出力端子Ｐ２側は、共振子３１を介してグランドに接続されている。この構成では、キャパシタ６１は、共振子２１の反共振周波数を低周波数側にシフトさせる機能を有する。
【００９２】
この回路構成では、図１４の破線に示すフィルタ特性ＡＴ（１０１Ｄ）となる。具体的には、フィルタ特性ＡＴ（１０１Ｄ）は、通過帯域ＢＷ（１０１Ｄ）を有し、当該通過帯域ＢＷ（１０１Ｄ）の高周波数側に減衰域を有する。通過帯域ＢＷ（１０１Ｄ）は、共振子２１とキャパシタ６１との並列回路の共振点付近の周波数および低周波数側の周波数帯域、共振子３１の反共振点よりも低周波数側の周波数帯域によって形成されている。
【００９３】
より具体的には、通過帯域ＢＷ（１０１Ｄ）の高周波数側の端部（上限周波数）は、共振子２１とキャパシタ６１との並列回路の共振点および共振子３１の反共振点によって決定されている。共振子２１とキャパシタ６１との並列回路の共振点および共振子３１の反共振点は、略一致している。通過帯域ＢＷ（１０１Ｄ）の上限周波数よりも低周波数側は、共振子２１とキャパシタ６１との並列回路の特性と、共振子３１の特性によって決定されている。
【００９４】
また、フィルタ特性ＡＴ（１０１Ｄ）では、通過帯域ＢＷ（１０１Ｄ）の高周波数側に減衰極を１つ有する。この減衰極は、共振子２１とキャパシタ６１との並列回路の反共振点の周波数である周波数ｆ２Ｄによって決定されている。すなわち、キャパシタ６１によって共振子２１の反共振点をシフトさせ、減衰極の周波数ｆ２Ｄを決定している。このとき、キャパシタ６１によって共振子２１の反共振点をシフトさせた周波数は、共振子３１の共振点の周波数に略一致していることが望ましい。
【００９５】
［接続態様２］
接続態様２で実現される高周波フィルタ１０Ｄ（２）では、端子ＰＳＷ０は端子ＰＳＷ２に接続されている。端子ＰＳＷ１は、グランドに接続されている。この接続態様２では、図１３（Ｂ）の回路構成となる。具体的には、第１入出力端子Ｐ１と第２入出力端子Ｐ２との間には、共振子２１が接続されている。共振子２１の第１入出力端子Ｐ１側は、キャパシタ６１を介してグランドに接続されている。共振子２１の第２入出力端子Ｐ２側は、共振子３２を介してグランドに接続されている。この構成では、キャパシタ６１は、共振子２１，３２からなる回路に対する第１入出力端子Ｐ１側の整合回路として作用する。すなわち、フィルタ特性を決定する主たる要素とはならない。
【００９６】
この回路構成では、図１４の実線に示すフィルタ特性ＡＴ（１０２Ｄ）となる。具体的には、フィルタ特性ＡＴ（１０２Ｄ）は、通過帯域ＢＷ（１０２Ｄ）を有し、当該通過帯域ＢＷ（１０２Ｄ）の高周波数側と低周波数側に減衰域を有する。通過帯域ＢＷ（１０２Ｄ）は、通過帯域ＢＷ（１０１Ｄ）よりも高周波数側に有り、部分的に重なっている。
【００９７】
通過帯域ＢＷ（１０２Ｄ）は、共振子３２の反共振点よりも高周波数側の周波数帯域と共振子２１の共振点よりも低周波数側の周波数帯域によって形成されている。
【００９８】
より具体的には、通過帯域ＢＷ（１０２Ｄ）の低周波数側の端部（下限周波数）は、共振子３２の反共振点によって決定されている。通過帯域ＢＷ（１０２Ｄ）の高周波数側の端部（上限周波数）は、共振子２１の共振点によって決定されている。
【００９９】
また、フィルタ特性ＡＴ（１０２Ｄ）では、通過帯域ＢＷ（１０２Ｄ）の低周波数側に減衰極を１つ有し、高周波数側に減衰極を１つ有する。低周波数側の減衰極は、共振子３２の共振点の周波数ｆ３Ｄによって形成される。高周波数側の減衰極は、共振子２１の反共振点の周波数ｆ１Ｄによって形成されている。
【０１００】
このような構成であっても、上述の各実施形態に示す高周波フィルタと同様の作用効果を得ることができる。なお、上述の第２、第３、第４の実施形態に係る高周波フィルタに対しても、インダクタを適宜キャパシタに変更し、所望のフィルタ特性を得ることができる。
【０１０１】
次に、本発明の第６の実施形態に係る高周波フィルタについて、図を参照して説明する。図１５は、本発明の第６の実施形態に係る高周波フィルタの回路図である。
【０１０２】
本実施形形態に係る高周波フィルタ１０Ｅは、第４の実施形態に係る高周波フィルタ１０Ｃに対して、インダクタ４１，４３をキャパシタ６１，６３に変更し、インダクタ４２を削除した点で異なる。言い換えれば、高周波フィルタ１０Ｅは、第５の実施形態に係る高周波フィルタ１０Ｄに対して、共振子２２およびキャパシタ６３を追加した点で異なる。
【０１０３】
共振子２２は、共振子２１とスイッチ５１との接続点と第２入出力端子Ｐ２との間に接続されている。キャパシタ６３の一方端は、第２入出力端子Ｐ２に接続されている。言い換えれば、キャパシタ６３の一方端は、共振子２２における第２入出力端子Ｐ２側に接続されている。キャパシタ６３の他方端は、スイッチ５１の端子ＰＳＷ１に接続されている。言い換えれば、キャパシタ６３の他方端は、キャパシタ６１および共振子３１に接続されている。このキャパシタ６３が本発明の「第３リアクタンス素子」に対応する。
【０１０４】
このような構成であっても、第１の実施形態に係る高周波フィルタ１０のインダクタ４１を第５の実施形態の実施形態に係る高周波フィルタ１０Ｄのキャパシタ６１に変更した場合と同様に、キャパシタ６１，６３の接続態様に応じて、キャパシタの機能を変更させることができ、多様なフィルタ特性が実現可能である。
【０１０５】
次に、本発明の第７の実施形態に係る分波回路について、図を参照して説明する。図１６は、本発明の第７の実施形態に係る分波回路の回路図である。
【０１０６】
図１６に示すように、分波回路７２は、送信フィルタ７２１、受信フィルタ７２２を備える。分波回路７２は、共通端子Ｐ１１、送信端子Ｐ１２、および、受信端子Ｐ１３を備える。送信フィルタ７１２は、共通端子Ｐ１１と送信端子Ｐ１２との間に接続されている。受信フィルタ７２２は、共通端子Ｐ１１と受信端子Ｐ１３との間に接続されている。共通端子Ｐ１１が本発明の「第１端子」に対応し、送信端子Ｐ１２が本発明の「第２端子」に対応する。
【０１０７】
送信フィルタ７１２は、複数の直列腕共振子と複数の並列腕共振子とがラダー状に接続されたラダー型共振回路７２１１と、第３の実施形態に示した高周波フィルタ１０Ｂとを組み合わせた回路である。具体的には、ラダー型回路７２１１における送信端子Ｐ１２側に最も近い共振子が、高周波フィルタ１０Ｂの共振子２１となるように、ラダー型回路７２１１と高周波フィルタ１０Ｂは、接続されている。なお、この送信フィルタも、本発明の「高周波フィルタ」に対応している。
【０１０８】
受信フィルタ７２２は、複数の直列腕共振子と複数の並列腕共振子とがラダー状に接続されたラダー型共振回路と、複数の共振子が縦結合した縦結合型共振回路とを組み合わせている。
【０１０９】
このような構成の分波回路７２を用いることで、例えば、上述の通信規格の３ＧＰＰ２の通信バンドＢａｎｄ２８に対応する分波回路を実現できる。
【０１１０】
具体的には、分波回路７２の送信フィルタ７２１は、スイッチ５１において端子ＰＳＷ０と端子ＰＳＷ１（第１被選択端子に対応）とを導通させることによって、通信バンドＢａｎｄ２８Ｂ（第２通信バンドに対応）に対するフィルタ特性を実現する。一方、送信フィルタ７２２は、スイッチ５１において端子ＰＳＷ０と端子ＰＳＷ２（第２被選択端子に対応）とを導通させることによって、通信バンドＢａｎｄ２８Ａ（第１通信バンドに対応）に対するフィルタ特性を実現する。
【０１１１】
図１７は、本発明の第７の実施形態に係る分波回路の送信フィルタのフィルタ特性を示すグラフである。図１７に示すように、通信バンドＢａｎｄ２８Ｂに対応させる態様では、通信バンドＢａｎｄ２８Ｂの低周波数側に２つの減衰極（図１７の太矢印）を形成することができる。これにより、「ＮＳ１７」のスプリアスエミッションの規制を満足させることができる。
【０１１２】
次に、本発明の第８の実施形態に係る分波回路について、図を参照して説明する。図１８は、本発明の第８の実施形態に係る分波回路の回路図である。
【０１１３】
本実施形態に係る分波回路７２Ａは、第７の実施形態に係る分波回路７２に対して、送信フィルタ７２１Ａの構成において異なる。分波回路７２Ａの他の構成は、第７の実施形態に係る分波回路７２と同じであり、同じ箇所の説明は省略する。
【０１１４】
分波回路７２Ａは、送信フィルタ７２１Ａを備える。送信フィルタ７２１Ａは、複合型回路７２１１と高周波フィルタ１０Ｂとを備え、これらを直列接続した回路である。複合型回路７２１は、ラダー型共振回路の部分と、縦結合型共振回路の部分とを備える。
【０１１５】
このような回路構成であっても、第７の実施形態の分波回路７２と同様のフィルタ特性を実現でき、同様の作用効果を実現することができる。
【０１１６】
次に、本発明の第９の実施形態に係るフロントエンド回路、および通信機器について、図を参照して説明する。図１９は、本発明の第９の実施形態に係る通信機器の機能ブロック図である。
【０１１７】
通信機器８０は、フロントエンド回路７０およびＲＦＩＣ８１を備える。フロントエンド回路７０は、送信側増幅回路７１、分波回路７２、アンテナ整合回路７３、および、受信側増幅器７４を備える。分波回路７２は、送信フィルタ７２１と受信フィルタ７２２とを備える。送信フィルタ７２１および受信フィルタ７２２は、アンテナ整合回路７３に接続され、アンテナ整合回路７３は、アンテナＡＮＴに接続されている。送信フィルタ７２１は、送信側増幅回路７１に接続されている。受信フィルタ７２は、受信側増幅回路７２に接続されている。送信側増幅回路７１と受信側増幅回路７２は、ＲＦＩＣ８１に接続されている。
【０１１８】
ＲＦＩＣ８１は、指定された通信バンドの周波数帯域を用いて、送信信号を生成する。ＲＦＩＣ８１は、指定された通信バンドに応じて、分波回路７２の送信フィルタ７２１および受信フィルタ７２２に、スイッチ制御信号を出力する。送信フィルタ７２１および受信フィルタ７２２は、上述の各実施形態に示した高周波フィルタによって形成されており、スイッチ制御信号に従って、スイッチ制御を行う。
【０１１９】
ＲＦＩＣ８１から出力された送信信号は、送信側増幅回路７１で増幅される。送信側増幅回路７１は、ＰＡ等を備え、送信信号を増幅する。増幅された送信信号は、分波回路７２の送信フィルタ７２１に入力される。送信信号は、送信フィルタ７２１でフィルタ処理され、アンテナ整合回路７３を介してアンテナＡＮＴに出力される。この際、送信フィルタ７２１に、上述の高周波フィルタの構成を備えることによって、指定された通信バンドが通信バンドＢ２８Ａであっても、通信バンドＢ２８Ｂであっても、それぞれの通信バンドに応じて、送信信号を低損失で伝送し、送信側増幅回路７１で生じる高調波等の不要波を確実に減衰させることができる。これにより、指定の通信バンド以外の通信バンドにおいて不要な高周波信号を外部に送信せず、スプリアスエミッションの規制を満足することができる。
【０１２０】
アンテナＡＮＴで受信された受信信号は、アンテナ整合回路７３を介して、分波回路７２の受信フィルタ７２２に入力される。受信フィルタ７２２は、受信信号をフィルタ処理して、受信側増幅回路７４に出力する。受信側増幅回路４４は、ＬＮＡ等を備え、受信信号を増幅して、ＲＦＩＣ８１に出力する。
【０１２１】
このような構成によって、指定の通信バンドでの低損失な通信を可能にし、スプリアスエミッションの規制を満足するフロントエンド回路７０および通信機器８０を実現することができる。
【０１２２】
なお、上述の各実施形態は、本願発明の作用効果を実現するための一部であり、これらの実施形態の構成を組み合わせても、同様の作用効果を得ることができる。また、上述の各実施形態に限らず、フィルタ回路を構成する共振子の組合せの切り換えに利用するスイッチを用いて、当該フィルタ回路を構成するインダクタの機能を切り換える構成であれば、本願発明の構成を適用でき、本願発明の作用効果を実現することができる。
【符号の説明】
【０１２３】
１０，１０Ａ，１０Ｂ，１０Ｃ，１０Ｄ，１０Ｅ：高周波フィルタ
２１，２２，３１，３２：各共振子
４１，４２，４３：インダクタ
５１：スイッチ
６１，６３：キャパシタ
７０：フロントエンド回路
７１：送信側増幅回路
７２：分波回路
７３：アンテナ整合回路
７４：受信側増幅回路
８１：ＲＦＩＣ
７２１：送信フィルタ
７２２：受信フィルタ
ＡＮＴ：アンテナ
Ｐ１：第１入出力端子
Ｐ２：第２入出力端子
ＰＳＷ０，ＰＳＷ１，ＰＳＷ２：スイッチ５１の端子
【図１】
2016158953.tif 000003
【図２】
2016158953.tif 000004
【図３】
2016158953.tif 000005
【図４】
2016158953.tif 000006
【図５】
2016158953.tif 000007
【図６】
2016158953.tif 000008
【図７】
2016158953.tif 000009
【図８】
2016158953.tif 000010
【図９】
2016158953.tif 000011
【図１０】
2016158953.tif 000012
【図１１】
2016158953.tif 000013
【図１２】
2016158953.tif 000014
【図１３】
2016158953.tif 000015
【図１４】
2016158953.tif 000016
【図１５】
2016158953.tif 000017
【図１６】
2016158953.tif 000018
【図１７】
2016158953.tif 000019
【図１８】
2016158953.tif 000020
【図１９】
2016158953.tif 000021
【手続補正書】
【提出日】平成29年7月28日(2017.7.28)
【手続補正１】
【補正対象書類名】明細書
【補正対象項目名】００７２
【補正方法】変更
【補正の内容】
【００７２】
より具体的には、通過帯域ＢＷ（１０２Ｂ）の高周波数側の端部（上限周波数）は、共振子２１の共振点によって決定されている。通過帯域ＢＷ（１０２Ｂ）の上限周波数よりも低周波数側は、共振子２１の特性と、共振子３２とインダクタ４２との並列回路の特性とによって決定されている。
【手続補正２】
【補正対象書類名】明細書
【補正対象項目名】００７５
【補正方法】変更
【補正の内容】
【００７５】
また、上述のように、インダクタ４２は、共振子３２の伸長のインダクタとして機能しており、共振子３２とインダクタ４２との並列回路の共振点の周波数ｆ２Ｂは、共振子２１の反共振点に近接し、低周波数側となっている。これにより、共振子３２とインダクタ４２との並列回路の共振点の周波数ｆ２Ｂを、共振子２１の反共振点の周波数ｆ１Ｂに近接させることができる。したがって、周波数ｆ１Ｂの減衰極の近傍に、周波数ｆ２Ｂの減衰極をさらに得ることができる。
【手続補正３】
【補正対象書類名】明細書
【補正対象項目名】００７７
【補正方法】変更
【補正の内容】
【００７７】
このように、本実施形態の高周波フィルタ１０Ｂを用いることによって、通過帯域ＢＷ（１０１Ｂ）においては通過帯域ＢＷ（１０２Ｂ）側のアイソレーションを高く確保でき、通過帯域ＢＷ（１０２Ｂ）においては通過帯域ＢＷ（１０１Ｂ）側のアイソレーションを高く確保できる。このように、高周波フィルタ１０Ｂを用いることによって、近接する２つの通過帯域を利用する通信バンド間でのアイソレーションを、より高く確保することができる。この構成を用いれば、例えば、３ＧＳ通信規格のバンドＢｎａｄ２８Ａ，２８Ｂをともに送受信するような場合に、より有効である。
【手続補正４】
【補正対象書類名】明細書
【補正対象項目名】００８６
【補正方法】変更
【補正の内容】
【００８６】
このような構成によって、高周波フィルタ１０Ｃ（２）は、図１１（Ａ）に示すフィルタ特性ＡＴ（１０２Ｃ）を実現できる。フィルタ特性ＡＴ（１０２Ｃ）は、通過帯域ＢＷ（１０２Ｃ）を有する。通過帯域ＢＷ（１０２Ｃ）は、通過帯域ＢＷ（１０１Ｃ）の低周波数側であり、通過帯域ＢＷ（１０１Ｃ）と部分的に重なっている。また、フィルタ特性ＡＴ（１０２Ｃ）は、通過帯域ＢＷ（１０２Ｃ）の高周波数側に３つの減衰極（周波数ｆ１Ｃ，ｆ２Ｃ，ｆ５）を有する。これらの通過帯域ＢＷ（１０２Ｃ）および周波数ｆ１Ｃ，ｆ２Ｃ，ｆ５は、上述の各実施形態と同様の原理によって、図１１（Ｂ）に示すように、共振子２１，２２、および、共振子３２とインダクタ４２による第３共振回路の特性によって決定される。
【手続補正５】
【補正対象書類名】明細書
【補正対象項目名】０１０６
【補正方法】変更
【補正の内容】
【０１０６】
図１６に示すように、分波回路７２は、送信フィルタ７２１、受信フィルタ７２２を備える。分波回路７２は、共通端子Ｐ１１、送信端子Ｐ１２、および、受信端子Ｐ１３を備える。送信フィルタ７２１は、共通端子Ｐ１１と送信端子Ｐ１２との間に接続されている。受信フィルタ７２２は、共通端子Ｐ１１と受信端子Ｐ１３との間に接続されている。共通端子Ｐ１１が本発明の「第１端子」に対応し、送信端子Ｐ１２が本発明の「第２端子」に対応する。
【手続補正６】
【補正対象書類名】明細書
【補正対象項目名】０１０７
【補正方法】変更
【補正の内容】
【０１０７】
送信フィルタ７２１は、複数の直列腕共振子と複数の並列腕共振子とがラダー状に接続されたラダー型共振回路７２１１と、第３の実施形態に示した高周波フィルタ１０Ｂとを組み合わせた回路である。具体的には、ラダー型共振回路７２１１における送信端子Ｐ１２側に最も近い共振子が、高周波フィルタ１０Ｂの共振子２１となるように、ラダー型共振回路７２１１と高周波フィルタ１０Ｂは、接続されている。なお、この送信フィルタも、本発明の「高周波フィルタ」に対応している。
【手続補正７】
【補正対象書類名】明細書
【補正対象項目名】０１１０
【補正方法】変更
【補正の内容】
【０１１０】
具体的には、分波回路７２の送信フィルタ７２１は、スイッチ５１において端子ＰＳＷ０と端子ＰＳＷ１（第１被選択端子に対応）とを導通させることによって、通信バンドＢａｎｄ２８Ｂ（第２通信バンドに対応）に対するフィルタ特性を実現する。一方、送信フィルタ７２１は、スイッチ５１において端子ＰＳＷ０と端子ＰＳＷ２（第２被選択端子に対応）とを導通させることによって、通信バンドＢａｎｄ２８Ａ（第１通信バンドに対応）に対するフィルタ特性を実現する。
【手続補正８】
【補正対象書類名】明細書
【補正対象項目名】０１１４
【補正方法】変更
【補正の内容】
【０１１４】
分波回路７２Ａは、送信フィルタ７２１Ａを備える。送信フィルタ７２１Ａは、複合型回路７２１１と高周波フィルタ１０Ｂとを備え、これらを直列接続した回路である。複合型回路７２１１は、ラダー型共振回路の部分と、縦結合型共振回路の部分とを備える。
【手続補正９】
【補正対象書類名】明細書
【補正対象項目名】０１１７
【補正方法】変更
【補正の内容】
【０１１７】
通信機器８０は、フロントエンド回路７０およびＲＦＩＣ８１を備える。フロントエンド回路７０は、送信側増幅回路７１、分波回路７２、アンテナ整合回路７３、および、受信側増幅回路７４を備える。分波回路７２は、送信フィルタ７２１と受信フィルタ７２２とを備える。送信フィルタ７２１および受信フィルタ７２２は、アンテナ整合回路７３に接続され、アンテナ整合回路７３は、アンテナＡＮＴに接続されている。送信フィルタ７２１は、送信側増幅回路７１に接続されている。受信フィルタ７２２は、受信側増幅回路７４に接続されている。送信側増幅回路７１と受信側増幅回路７４は、ＲＦＩＣ８１に接続されている。
【手続補正１０】
【補正対象書類名】明細書
【補正対象項目名】０１２０
【補正方法】変更
【補正の内容】
【０１２０】
アンテナＡＮＴで受信された受信信号は、アンテナ整合回路７３を介して、分波回路７２の受信フィルタ７２２に入力される。受信フィルタ７２２は、受信信号をフィルタ処理して、受信側増幅回路７４に出力する。受信側増幅回路７４は、ＬＮＡ等を備え、受信信号を増幅して、ＲＦＩＣ８１に出力する。
【手続補正１１】
【補正対象書類名】特許請求の範囲
【補正対象項目名】請求項８
【補正方法】変更
【補正の内容】
【請求項８】
前記第１リアクタンス素子、前記第２リアクタンス素子、および前記第３リアクタンス素子は、インダクタである、
請求項５に記載の高周波フィルタ。
【手続補正１２】
【補正対象書類名】特許請求の範囲
【補正対象項目名】請求項９
【補正方法】変更
【補正の内容】
【請求項９】
前記第１リアクタンス素子および前記第３リアクタンス素子は、キャパシタである、
請求項５に記載の高周波フィルタ。
【国際調査報告】
2016158953.tif 000022
2016158953.tif 000023
2016158953.tif 000024
2016158953.tif 000025